(57)【要約】  各加入者側装置２から受信したデータに対してＧＡＩＮ調整を行うＡＧＣ回路１１６と、ＡＧＣ回路１１６によるＧＡＩＮ調整で用いられたＧＡＩＮ量を保持するＧＡＩＮ保持部１１７と、各加入者側装置２から受信したデータに対して、ＧＡＩＮ保持部１１７に保持されているＧＡＩＮ量を用いてＧＡＩＮ調整を行うＧＡＩＮ回路１１８と、各加入者側装置２から受信したデータの送信経路として、ＡＧＣ回路１１６を通過する送信経路またはＧＡＩＮ回路１１８を通過する送信経路を選択するセレクタ１１２，１１３とを備えた。
2012046281.tif 000002
【特許請求の範囲】
【請求項１】
複数の加入者側装置との間で通信を行う局側装置において、
前記各加入者側装置から受信したデータに対してＧＡＩＮ調整を行うＡＧＣ（Ａｕｔｏｍａｔｉｃ  Ｇａｉｎ  Ｃｏｎｔｒｏｌ）回路と、
前記ＡＧＣ回路によるＧＡＩＮ調整で用いられたＧＡＩＮ量を保持するＧＡＩＮ保持部と、
前記各加入者側装置から受信したデータに対して、前記ＧＡＩＮ保持部に保持されているＧＡＩＮ量を用いてＧＡＩＮ調整を行うＧＡＩＮ回路と、
前記各加入者側装置から受信したデータの送信経路として、前記ＡＧＣ回路を通過する送信経路または前記ＧＡＩＮ回路を通過する送信経路を選択するセレクタと
を備えたことを特徴とする局側装置。
【請求項２】
前記セレクタにより選択されていない送信経路上の未使用ブロックの電源をＯＦＦにする電源制御部をさらに備えた
ことを特徴とする請求項１記載の局側装置。
【請求項３】
前記セレクタは、前記加入者側装置との通信周期が最初のｄｉｓｃｏｖｅｒｙ周期の場合には、前記ＡＧＣ回路を通過する送信経路を選択し、当該最初のｄｉｓｃｏｖｅｒｙ周期以外の周期の場合には、前記ＧＡＩＮ回路を通過する送信経路を選択する
ことを特徴とする請求項１記載の局側装置。
【請求項４】
前記セレクタは、所定の周期ごとに前記ＡＧＣ回路を通過する送信経路を選択する
ことを特徴とする請求項１記載の局側装置。
【請求項５】
前記各加入者側装置から受信したデータに基づいて、ＧＡＩＮ調整に要するＧＡＩＮ量を算出する光強度モニタをさらに備え、
前記ＧＡＩＮ保持部は、前記ＡＧＣ回路により用いられたＧＡＩＮ量または前記光強度モニタにより算出されたＧＡＩＮ量を保持し、
前記ＧＡＩＮ回路は、前記各加入者側装置から受信した今周期のデータに対して、前記ＧＡＩＮ保持部に保持されている前周期のＧＡＩＮ量を用いてＧＡＩＮ調整を行い、
前記セレクタは、前記加入者側装置との通信周期が最初のｄｉｓｃｏｖｅｒｙ周期の場合には、前記ＡＧＣ回路を通過する送信経路を選択し、当該最初のｄｉｓｃｏｖｅｒｙ周期以外の周期の場合には、前記光強度モニタおよびＧＡＩＮ回路を通過する送信経路を選択する
ことを特徴とする請求項１記載の局側装置。
【発明の詳細な説明】
【技術分野】
【０００１】
この発明は、複数の加入者側装置（ＯＮＵ：Ｏｐｔｉｃａｌ  Ｎｅｔｗｏｒｋ  Ｕｎｉｔ）との間で通信を行う局側装置（ＯＬＴ：Ｏｐｔｉｃａｌ  Ｌｉｎｅ  Ｔｅｒｍｉｎａｌ）において、上り伝送効率向上を図った局側装置に関するものである。
【背景技術】
【０００２】
近年、インターネットの普及により、一本の光ファイバを複数の加入者宅に引き込むＰＯＮ（Ｐａｓｓｉｖｅ  Ｏｐｔｉｃａｌ  Ｎｅｔｗｏｒｋ）技術が発展してきている。中でも主流であるＦＴＴＨ（Ｆｉｂｅｒ  Ｔｏ  Ｔｈｅ  Ｈｏｍｅ）サービスの利用者が増加している。
ＦＴＴＨサービスとは、光ファイバによる家庭向けのデータ通信サービスである。構成としては、１つの局側装置に対して複数の加入者側装置が光ファイバおよび光カプラにより接続されたものであり、局側装置と各加入者側装置との間でデータの送受信を行っている。
なお、局側装置から加入者側装置へデータを伝送する伝送方向を下り、加入者側装置から局側装置へデータを伝送する伝送方向を上りと定義する。【０００３】
現状のＰＯＮシステムでは、下りのデータ伝送は連続伝送方式であるのに対して、上りのデータ伝送はバースト伝送方式である。バースト伝送方式とは、物理媒体上での信号が１つの固まり（バースト）として送られる伝送方式である。
この上りのデータ伝送では、複数の加入者側装置からのデータを時分割多重して局側装置に伝送している。そのため、上りの伝送効率を上げることが高速通信化を実現する上で重要となる。【０００４】
一方、上りのデータ伝送では、加入者側装置毎に通信距離が異なるため、光強度と位相の異なるバーストが送られてくる。そのため、先頭でビット同期を取り直すため、光強度調整（ＡＧＣ：Ａｕｔｏｍａｔｉｃ  Ｇａｉｎ  Ｃｏｎｔｒｏｌ）期間および位相調整（ＣＤＲ：Ｃｌｏｃｋ  ａｎｄ  Ｄａｔａ  Ｒｅｃｏｖｅｒｙ）期間である同期期間（ＳｙｎｃＴｉｍｅ）を設ける必要がある。【０００５】
そこで、特許文献１では、局側装置と加入者側装置までの往復時間であるＲＴＴ（Ｒｏｕｎｄ  Ｔｒｉｐ  Ｔｉｍｅ）および局側装置に入力する光強度を計測し、ＡＧＣ回路に計測値に応じた初期ＧＡＩＮをプリセットすることで、ＡＧＣ期間を短縮している。これにより、ＳｙｎｃＴｉｍｅを従来よりも短縮することができ、上り帯域の有効利用を図ることができる。【０００６】
また、特許文献２では、１つの加入者側装置に複数の論理リンク情報（ＬＬＩＤ：Ｌｏｇｉｃａｌ  Ｌｉｎｋ．ＩＤ）を設けた場合に、加入者側装置が複数のデータフレームを連結して送信している。これにより、ＳｙｎｃＴｉｍｅを削減することができ、上り帯域の有効利用を図ることができる。
【先行技術文献】
【特許文献】
【０００７】
【特許文献１】特開２００８−１９９２３３号公報
【特許文献２】特開２００７−１１６５８７号公報
【発明の概要】
【０００８】
上記のように、従来のＰＯＮシステムを適応した光通信システムでは、加入者側装置毎に光強度と位相が異なるバーストが送られてくるため、ＡＧＣ期間およびＣＤＲ期間であるＳｙｎｃＴｉｍｅが必要となる。しかしながら、このＳｙｎｃＴｉｍｅの期間にはデータを送信することができず、伝送効率を下げる働きをしてしまうため、上り帯域の有効利用が図れないという課題があった。
【０００９】
また、特許文献１の技術では、局側装置と加入者側装置までのＲＴＴと局側装置に入力する光強度を計測することで、ＡＧＣ期間を短縮している。しかしながら、ＡＧＣ期間を削除することはできていないという課題があった。
【００１０】
また、特許文献２の技術は、１つの加入者側装置に複数のＬＬＩＤを設けた場合に、複数のデータフレームを連結することで、ＳｙｎｃＴｉｍｅを削減している。したがって、１つの加入者側装置に１つのＬＬＩＤを持たせた場合における上りデータ伝送効率化については適用することができないという課題があった。
【００１１】
この発明は、上記のような課題を解決するためになされたもので、ＡＧＣ期間を削除することでＳｙｎｃＴｉｍｅを削減することができ、上り帯域利用効率を向上させることができる局側装置を提供することを目的としている。
【００１２】
この発明に係る局側装置は、各加入者側装置から受信したデータに対してＧＡＩＮ調整を行うＡＧＣ回路と、ＡＧＣ回路によるＧＡＩＮ調整で用いられたＧＡＩＮ量を保持するＧＡＩＮ保持部と、各加入者側装置から受信したデータに対して、ＧＡＩＮ保持部に保持されているＧＡＩＮ量を用いてＧＡＩＮ調整を行うＧＡＩＮ回路と、各加入者側装置から受信したデータの送信経路として、ＡＧＣ回路を通過する送信経路またはＧＡＩＮ回路を通過する送信経路を選択するセレクタとを備えたものである。
【００１３】
この発明によれば、上記のように構成したので、ＡＧＣ期間を削除することでＳｙｎｃＴｉｍｅを削減することができ、上り帯域利用効率を向上させることができる。
【図面の簡単な説明】
【００１４】
【図１】実施の形態１に係るＰＯＮシステムの構成を示すブロック図である。
【図２】実施の形態１に係るＰＯＮシステム内の各部の構成を示すブロック図である。
【図３】実施の形態１に係るＰＯＮシステムの動作を示すシーケンス図である。
【図４】実施の形態１における位相情報を埋め込んだＲｅｇｉｓｔｅｒフレームの構成を示す図である。
【図５】実施の形態１における上りバーストフレームの構成を示す図である。
【図６】実施の形態２に係るＰＯＮシステム内の各部の構成を示すブロック図である。
【図７】実施の形態２に係るＰＯＮシステムの動作を示すシーケンス図である。
【図８】実施の形態２における位相情報を埋め込んだＧａｔｅフレームの構成を示す図である。
【図９】実施の形態２に係るＰＯＮシステム内の各部の別の構成を示すブロック図である。
【発明を実施するための形態】
【００１５】
以下、この発明の実施の形態について図面を参照しながら詳細に説明する。
実施の形態１．
図１はこの発明の実施の形態１に係るＰＯＮシステムを示す図であり、図２は各部の構成を示すブロック図である。
ＰＯＮシステムは、図１，２に示すように、局舎側に設置される局側装置（ＯＬＴ）１と、複数の宅内側にそれぞれ設置される加入者側装置（ＯＮＵ）２−１〜２−ｎ（以下、加入者側装置２と示す）とを備えている。
この局側装置１と複数の加入者側装置２は、光ファイバ３、光スプリッタ４および光ファイバ５−１〜５−ｎ（以下、光ファイバ５と示す）を介して接続され、上下データの送受信を行う。
【００１６】
また、図２に示すように、局側装置１は上位装置６と接続され、上下データの送受信を行う。また、加入者側装置２は下位装置７と接続され、上下データの送受信を行う。
なお、上位装置６から下位装置７への伝送方向を下り、下位装置７から上位装置６への伝送方向を上りと定義する。
【００１７】
局側装置１は、ＷＤＭ（Ｗａｖｅｌｅｎｇｔｈ  Ｄｉｖｉｓｉｏｎ  Ｍｕｌｔｉｐｌｅｘｉｎｇ）カプラ１０１、光受信部１０２、帯域割当制御部１０３、電源制御部１０４、位相制御部１０５、フレーム分離部１０６、フレーム制御部１０７、下りバッファ部１０８、フレーム多重部１０９および光送信部１１０を備えている。
【００１８】
ＷＤＭカプラ１０１は、光スプリッタ４を介して各加入者側装置２からの上りデータを光受信部１０２に送信し、光送信部１１０からの下りデータを光スプリッタ４を介して各加入者側装置２に送信するものである。
【００１９】
光受信部１０２は、ＷＤＭカプラ１０１を介して各加入者側装置２からの上りデータを受信するものである。この光受信部１０２は、Ｏ／Ｅ（Ｏｐｔｉｃａｌ／Ｅｌｅｃｔｒｉｃａｌ）変換器１１１、セレクタ１１２，１１３、強度調整部１１４および位相調整部１１５を備えている。
【００２０】
Ｏ／Ｅ変換器１１１は、ＷＤＭカプラ１０１を介して各加入者側装置２から受信した上りデータ（バースト光信号）を電気信号に変換するものである。Ｏ／Ｅ変換器１１１により電気信号に変換されたデータはセレクタ１１２に送信される。
【００２１】
セレクタ１１２，１１３は、帯域割当制御部１０３から通知された各加入者側装置２との通信周期に基づいて、強度調整部１１４内および位相調整部１１５内の送信経路を切り替えるものである。ここで、セレクタ１１２，１１３は、加入者側装置２との通信周期が初回周期（最初のｄｉｓｃｏｖｅｒｙ周期）の場合には、図２の第１送信経路（後述するＡＧＣ回路１１６およびＣＤＲ回路１１９を通過する送信経路）を選択し、初回周期以外の周期の場合には、第２送信経路（ＧＡＩＮ回路１１８を通過する送信経路）を選択する。
【００２２】
強度調整部１１４は、セレクタ１１２を介してＯ／Ｅ変換器１１１から受信したデータに対してＧＡＩＮ調整を行うものである。この強度調整部１１４は、ＡＧＣ回路１１６、ＧＡＩＮ保持部１１７およびＧＡＩＮ回路１１８を備えている。
【００２３】
ＡＧＣ回路１１６は、セレクタ１１２を介してＯ／Ｅ変換器１１１から受信したデータに対してＧＡＩＮ調整を行うものである。このＡＧＣ回路１１６によりＧＡＩＮ調整されたデータは位相調整部１１５に送信される。また、ＡＧＣ回路１１６により、各加入者側装置２のデータに対して用いられたＧＡＩＮ量を示すＧＡＩＮ情報は、ＧＡＩＮ保持部１１７に送信される。
【００２４】
ＧＡＩＮ保持部１１７は、ＡＧＣ回路１１６から受信した加入者側装置２毎のＧＡＩＮ情報を保持するものである。このＧＡＩＮ保持部１１７に保持されているＧＡＩＮ情報はＧＡＩＮ回路１１８により抽出される。
【００２５】
ＧＡＩＮ回路１１８は、帯域割当制御部１０３から通知された各加入者側装置２のデータ送信開始時間および継続時間に基づいて、ＧＡＩＮ保持部１１７から該当するＧＡＩＮ量を抽出し、このＧＡＩＮ量を用いて、セレクタ１１２を介してＯ／Ｅ変換器１１１から受信したデータに対してＧＡＩＮ調整を行うものである。このＧＡＩＮ回路１１８によりＧＡＩＮ調整されたデータはセレクタ１１３を介してフレーム分離部１０６に送信される。
【００２６】
位相調整部１１５は、強度調整部１１４から受信したデータに対して位相調整を行うものである。この位相調整部１１５は、ＣＤＲ回路１１９を備えている。
ＣＤＲ回路１１９は、強度調整部１１４から受信したデータに対して位相調整を行うものである。このＣＤＲ回路１１９により位相調整されたデータはセレクタ１１３を介してフレーム分離部１０６に送信される。また、ＣＤＲ回路１１９により、各加入者側装置のデータに対して用いられた位相調整量を示す位相情報は、位相制御部１０５に送信される。
【００２７】
帯域割当制御部１０３は、次の周期での各加入者側装置２のデータ送信開始時間および継続時間を決定し、各ブロック（ＧＡＩＮ保持部１１７およびフレーム制御部１０７）に通知するものである。また、帯域割当制御部１０３は、Ｄｉｓｃｏｖｅｒｙ  Ｗｉｎｄｏｗ情報を各ブロック（セレクタ１１２，１１３および電源制御部１０４）に通知する。
【００２８】
このＤｉｓｃｏｖｅｒｙ  Ｗｉｎｄｏｗ情報とは、Ｄｉｓｃｏｖｅｒｙ  Ｗｉｎｄｏｗ（未登録の加入者側装置２が局側装置１に登録要請を行う期間）でやり取りする情報（ＰＯＮリンクを確立するのに必要となる情報）である。このＤｉｓｃｏｖｅｒｙ  Ｗｉｎｄｏｗ情報には、加入者側装置２との通信周期が最初のｄｉｓｃｏｖｅｒｙ周期であるかを示す情報が含まれている。なお、ｄｉｓｃｏｖｅｒｙ周期とは、Ｄｉｓｃｅｖｅｒｙ  Ｗｉｎｄｏｗの生成周期である。
【００２９】
電源制御部１０４は、帯域割当制御部１０３から通知された各加入者側装置２との通信周期に基づいて、セレクタ１１２，１１３により選択されていない送信経路上の未使用ブロック（ＡＧＣ回路１１６、ＣＤＲ回路１１９またはＧＡＩＮ回路１１８）の電源をＯＦＦにするものである。
【００３０】
位相制御部１０５は、ＣＤＲ回路１１９から受信した加入者側装置２毎の位相情報を保持するものである。この位相制御部１０５に保持されている位相情報はフレーム制御部１０７により抽出される。
フレーム分離部１０６は、セレクタ１１３から受信したデータをＵｓｅｒフレーム（受信データ）と制御フレーム（Ｒｅｇｉｓｔｅｒ  Ｒｅｑｕｅｓｔフレーム、Ｒｅｇｉｓｔｅｒ  ＡｃｋフレームまたはＲｅｐｏｒｔフレーム）とに分離するものである。このフレーム分離部１０６により分離されたＵｓｅｒフレームは上位装置６に送信され、制御フレームはフレーム制御部１０７に送信される。
【００３１】
フレーム制御部１０７は、フレーム分離部１０６からの制御フレームを認識した場合に、帯域割当制御部１０３や位相制御部１０５からの情報に基づいて、制御フレーム（Ｄｉｓｃｏｖｅｒｙ  Ｇａｔｅフレーム、ＲｅｇｉｓｔｅｒフレームまたはＧａｔｅフレーム）や、位相情報が含まれた位相情報通知フレームを生成するものである。なお、位相情報通知フレームはＲｅｇｉｓｔｅｒフレームの空き領域に埋め込まれて構成される。このフレーム制御部１０７により生成された制御フレームはフレーム多重部１０９に送信される。
【００３２】
下りバッファ部１０８は、上位装置６から受信した下りデータを一時的に蓄積するものである。この下りバッファ部１０８に蓄積された下りデータ（Ｕｓｅｒフレーム）はフレーム多重部１０９により読み出される。
【００３３】
フレーム多重部１０９は、下りバッファ部１０８から読み出したＵｓｅｒフレーム（受信データ）とフレーム制御部１０７からの制御フレーム（Ｄｉｓｃｏｖｅｒｙ  Ｇａｔｅフレーム、ＲｅｇｉｓｔｅｒフレームまたはＧａｔｅフレーム）とを多重するものである。このフレーム多重部１０９により多重されたフレームは光送信部１１０に送信される。
【００３４】
光送信部１１０は、フレーム多重部１０９からのフレーム（電気信号）を光信号に変換するものである。この光送信部１１０により光信号に変換されたフレーム（下りデータ）はＷＤＭカプラ１０１に送信される。
【００３５】
また、加入者側装置２は、ＷＤＭカプラ２０１、光受信部２０２、フレーム分離部２０３、フレーム制御部２０４、上りバッファ部２０５、フレーム多重部２０６、位相制御部２０７および光送信部２０８を備えている。
【００３６】
ＷＤＭカプラ２０１は、光スプリッタ４を介して局側装置１からの下りデータを光受信部２０２に送信し、光送信部２０８からの上りデータを光スプリッタ４を介して局側装置１に送信するものである。
【００３７】
光受信部２０２は、ＷＤＭカプラ２０１を介して局側装置１からの下りデータ（光信号）を受信し、電気信号に変換するものである。この光受信部２０２により電気信号に変換されたデータはフレーム分離部２０３に送信される。
【００３８】
フレーム分離部２０３は、光受信部２０２から受信したデータをＵｓｅｒフレーム（受信データ）と制御フレーム（Ｄｉｓｃｏｖｅｒｙ  Ｇａｔｅフレーム、ＲｅｇｉｓｔｅｒフレームまたはＧａｔｅフレーム）とに分離するものである。このフレーム分離部２０３により分離されたＵｓｅｒフレームは下位装置７に送信され、制御フレームはフレーム制御部２０４に送信される。
【００３９】
フレーム制御部２０４は、フレーム分離部２０３からの制御フレーム（Ｕｓｅｒフレーム以外の全フレーム）を処理するものである。このフレーム制御部２０４は、Ｒｅｇｉｓｔｅｒフレームから位相情報通知フレームを抽出し、位相情報を位相制御部２０７へ送信する。
【００４０】
上りバッファ部２０５は、下位装置７から受信した上りデータを一時的に蓄積するものである。この上りバッファ部２０５に蓄積された上りデータ（Ｕｓｅｒフレーム）はフレーム多重部２０６により読み出される。
【００４１】
フレーム多重部２０６は、上りバッファ部２０５から読み出したＵｓｅｒフレーム（受信データ）とフレーム制御部２０４からの制御フレーム（Ｒｅｇｉｓｔｅｒ  Ｒｅｑｕｅｓｔフレーム、Ｒｅｇｉｓｔｅｒ  ＡｃｋフレームまたはＲｅｐｏｒｔフレーム）とを多重するものである。このフレーム多重部２０６により多重されたフレームは光送信部２０８に送信される。
【００４２】
位相制御部２０７は、フレーム制御部２０４からの位相情報を用いて、光送信部２０８に送信されたフレームに対して位相調整を行うものである。
光送信部２０８は、フレーム多重部２０６により多重され、位相制御部２０７により位相が調整されたフレーム（電気信号）を光信号に変換するものである。この光送信部２０８により光信号に変換されたフレーム（上りデータ）はＷＤＭカプラ２０１に送信される。
【００４３】
次に、上記のように構成されたＰＯＮシステムの動作について説明する。
図３はこの発明の実施の形態１に係るＰＯＮシステムの動作を示すシーケンス図である。なお、実施の形態１に係るＰＯＮシステムでは、位相同期を行う方法として、ＭＰＣＰ（Ｍｕｌｔｉ−Ｐｏｉｎｔ  Ｃｏｎｔｒｏｌ  Ｐｒｏｔｏｃｏｌ）のＤｉｓｃｏｖｅｒｙシーケンスを利用した場合について述べる。
【００４４】
ＰＯＮシステムの動作では、図３に示すように、まず、局側装置１はＤｉｓｃｏｖｅｒｙ  Ｇａｔｅフレーム１１を未登録の加入者側装置２に送信する（ステップＳＴ３１）。Ｄｉｓｃｏｖｅｒｙ  Ｇａｔｅフレーム１１とは、局側装置１から未登録の加入者側装置２に対して登録要請する期間を通知するフレームである。
このステップＳＴ３１では、まず、フレーム制御部１０７は、未登録の加入者側装置２に対するＤｉｓｃｏｖｅｒｙ  Ｇａｔｅフレーム１１を生成する。次に、フレーム多重部１０９は、フレーム制御部１０７からのＤｉｓｃｏｖｅｒｙ  Ｇａｔｅフレーム１１と下りバッファ部１０８からのＵｓｅｒフレームとを多重する。次に、光送信部１１０は、フレーム多重部１０９により多重されたフレームを光信号に変換し、ＷＤＭカプラ１０１および光スプリッタ４を介して未登録の加入者側装置２に送信する。
【００４５】
次いで、加入者側装置２はＲｅｇｉｓｔｅｒ  Ｒｅｑｕｅｓｔフレーム１２を局側装置１に送信する（ステップＳＴ３２）。Ｒｅｇｉｓｔｅｒ  Ｒｅｑｕｅｓｔフレーム１２とは、加入者側装置２が登録要請を行うフレームである。
このステップＳＴ３２では、まず、光受信部２０２は、ＷＤＭカプラ２０１を介して局側装置１から下りデータを受信し、電気信号に変換する。次に、フレーム分離部２０３は、光受信部２０２により電気信号に変換されたデータをＵｓｅｒフレームとＤｉｓｃｏｖｅｒｙ  Ｇａｔｅフレーム１１とに分離する。次に、フレーム制御部２０４は、フレーム分離部２０３により分離されたＤｉｓｃｏｖｅｒｙ  Ｇａｔｅフレーム１１を認識した後、Ｒｅｇｉｓｔｅｒ  Ｒｅｑｕｅｓｔフレーム１２を生成する。次に、フレーム多重部２０６は、フレーム制御部２０４からのＲｅｇｉｓｔｅｒ  Ｒｅｑｕｅｓｔフレーム１２と上りバッファ部２０５からのＵｓｅｒフレームとを多重する。次に、光送信部２０８は、フレーム多重部２０６により多重されたフレームを光信号に変換し、ＷＤＭカプラ２０１および光スプリッタ４を介して局側装置１に送信する。
【００４６】
次いで、局側装置１は、ＧＡＩＮ調整および位相調整を行い、ＧＡＩＮ情報および位相情報を取得する（ステップＳＴ３３）。
このステップＳＴ３３では、まず、Ｏ／Ｅ変換器１１１は、ＷＤＭカプラ１０１を介して加入者側装置２からの上りデータを受信し、電気信号に変換する。次に、セレクタ１１２，１１３は、帯域割当制御部１０３からのＤｉｓｃｏｖｅｒｙ  Ｗｉｎｄｏｗ情報に基づいて最初のｄｉｓｃｏｖｅｒｙ周期であると判断し、第１送信経路に切り替える。また、電源制御部１０４は、帯域割当制御部１０３からのＤｉｓｃｏｖｅｒｙ  Ｗｉｎｄｏｗ情報に基づいて、未使用ブロック（ＧＡＩＮ回路１１８）の電源をＯＦＦにして、省エネを図る。
【００４７】
次に、ＡＧＣ回路１１６は、Ｏ／Ｅ変換器１１１からのデータに対してＧＡＩＮ調整を行う。このＡＧＣ回路１１６によるＧＡＩＮ情報はＧＡＩＮ保持部１１７に保持される。次に、ＣＤＲ回路１１９は、ＡＧＣ回路１１６によりＧＡＩＮ調整されたデータに対して位相調整を行う。このＣＤＲ回路１１９による位相情報は位相制御部１０５に保持される。
次に、フレーム分離部１０６は、セレクタ１１３を介してＣＤＲ回路１１９から受信したデータをＵｓｅｒフレームとＲｅｇｉｓｔｅｒ  Ｒｅｑｕｅｓｔフレーム１２とに分離する。このフレーム分離部１０６により分離されたＵｓｅｒフレームは上位装置６に送信され、Ｒｅｇｉｓｔｅｒ  Ｒｅｑｕｅｓｔフレーム１２はフレーム制御部１０７に送信される。
【００４８】
次いで、局側装置１はＲｅｇｉｓｔｅｒフレーム１３およびＧａｔｅフレーム１４を加入者側装置２に送信する（ステップＳＴ３４，３５）。Ｒｅｇｉｓｔｅｒフレーム１３とは、加入者側装置２にＩＤを割当てるＬＬＩＤを格納したフレームである。また、Ｇａｔｅフレーム１４とは、データ送信開始時間および継続時間を加入者側装置２に通知するフレームである。
このステップＳＴ３４，３５では、まず、帯域割当制御部１０３は、次周期での各加入者側装置２のデータ送信開始時間および継続時間を決定し、ＧＡＩＮ保持部１１７およびフレーム制御部１０７に通知する。さらに、次周期でのＤｉｓｃｏｖｅｒｙ  Ｗｉｎｄｏｗ情報をセレクタ１１２，１１３および電源制御部１０４に通知する。
【００４９】
次に、フレーム制御部１０７は、Ｒｅｇｉｓｔｅｒ  Ｒｅｑｕｅｓｔフレーム１２を認識した後、Ｒｅｇｉｓｔｅｒフレーム１３を生成する。また、帯域割当制御部１０３から通知された次周期での各加入者側装置２のデータ送信開始時間および継続時間に基づいて、Ｇａｔｅフレーム１４を生成する。この際、フレーム制御部１０７は、位相制御部１０５から抽出した位相情報をＲｅｇｉｓｔｅｒフレーム１３の空き領域に埋めこんだ位相情報通知フレームも生成する。例えば図４に示すように、Ｒｅｇｉｓｔｅｒフレーム１３のＰａｄ／Ｒｅｓｅｒｖｅｄの帯域に１ｂｙｔｅ分埋め込むことで位相情報通知フレームを生成する。
【００５０】
次に、フレーム多重部１０９は、フレーム制御部１０７からの、位置情報通知フレームが埋め込まれたＲｅｇｉｓｔｅｒフレーム１３およびＧａｔｅフレーム１４と、下りバッファ部１０８からのＵｓｅｒフレームとを多重する。次に、光送信部１１０は、フレーム多重部１０９により多重されたフレームを光信号に変換し、ＷＤＭカプラ１０１および光スプリッタ４を介して対応する加入者側装置２に送信する。
【００５１】
次いで、加入者側装置２は、位相調整を行い、Ｒｅｇｉｓｔｅｒ  Ａｃｋフレーム１５を局側装置１に送信する（ステップＳＴ３６，３７）。Ｒｅｇｉｓｔｅｒ  Ａｃｋフレーム１５とは、加入者側装置２が登録完了を局側装置１に通知するフレームである。
このステップＳＴ３６，３７では、まず、光受信部２０２は、ＷＤＭカプラ２０１を介して局側装置１からの下りデータを受信し、電気信号に変換する。次に、フレーム分離部２０３は、光受信部２０２により電気信号に変換されたデータをＵｓｅｒフレームと位置情報通知フレームが埋め込まれたＲｅｇｉｓｔｅｒフレーム１３とＧａｔｅフレーム１４とに分離する。次に、フレーム制御部２０４は、フレーム分離部２０３により分離されたＧａｔｅフレーム１４を認識した後、Ｒｅｇｉｓｔｅｒ  Ａｃｋフレーム１５を生成する。また、フレーム制御部２０４は、Ｒｅｇｉｓｔｅｒフレーム１３から位相情報通知フレームを抽出して、位相情報を位相制御部２０７に送信する。次に、フレーム多重部２０６は、フレーム制御部２０４からのＲｅｇｉｓｔｅｒ  Ａｃｋフレーム１５と上りバッファ部２０５からのＵｓｅｒフレームとを多重する。
【００５２】
次に、位相制御部２０７は、フレーム制御部２０４からの位相情報を用いて、光送信部２０８に送信されたフレームに対して位相調整を行う。次に、光送信部２０８は、フレーム多重部２０６により多重され、位相制御部２０７により位相調整されたフレームを光信号に変換し、ＷＤＭカプラ２０１および光スプリッタ４を介して局側装置１に送信する。
【００５３】
次いで、局側装置１はＧＡＩＮ調整を行う（ステップＳＴ３８）。
このステップＳＴ３８では、まず、Ｏ／Ｅ変換器１１１は、ＷＤＭカプラ１０１を介して加入者側装置２からの上りデータを受信し、電気信号に変換する。次に、セレクタ１１２，１１３は、帯域割当制御部１０３からのＤｉｓｃｏｖｅｒｙ  Ｗｉｎｄｏｗ情報に基づいて最初のｄｉｓｃｏｖｅｒｙ周期ではないと判断し、第２送信経路に切り替える。また、電源制御部１０４は、帯域割当制御部１０３からのＤｉｓｃｏｖｅｒｙ  Ｗｉｎｄｏｗ情報に基づいて、未使用ブロック（ＡＧＣ回路１１６およびＣＤＲ回路１１９）の電源をＯＦＦにして、省エネを図る。
【００５４】
次に、ＧＡＩＮ回路１１８は、帯域割当制御部１０３から通知された各加入者側装置２のデータ送信開始時間および継続時間に基づいて、ＧＡＩＮ保持部１１７から該当するＧＡＩＮ量を抽出し、このＧＡＩＮ量を用いて、Ｏ／Ｅ変換器１１１からのデータに対してＧＡＩＮ調整を行う。次に、フレーム分離部１０６は、セレクタ１１３を介してＧＡＩＮ回路１１８から受信したデータをＵｓｅｒフレームとＲｅｇｉｓｔｅｒ  Ａｃｋフレーム１５とに分離する。このフレーム分離部１０６により分離されたＵｓｅｒフレームは上位装置６に送信され、Ｒｅｇｉｓｔｅｒ  Ａｃｋフレーム１５はフレーム制御部１０７に送信される。
【００５５】
その後、フレーム制御部１０７は、Ｒｅｇｉｓｔｅｒ  Ａｃｋフレーム１５を認識した後、Ｇａｔｅフレームを生成し、以後Ｇａｔｅ−Ｒｅｐｏｒｔシーケンスとなる。
Ｇａｔｅ−Ｒｅｐｏｒｔシーケンスにおける光強度調整および位相調整では、最初のｄｉｓｃｏｖｅｒｙ周期で抽出したＧＡＩＮ量および位相調整量を反映させていく。
【００５６】
ここで、従来の上りバーストフレームの構成を大きく分類すると、図５（ａ）に示すように、レーザ立ち上げ（Ｌｏｎ：Ｌａｓｅｒ  Ｏｎ）期間２０、光強度調整（ＡＧＣ）期間２１、位相調整（ＣＤＲ）期間２２、データ送信（Ｄａｔａ）期間２３、レーザ立ち下げ（Ｌｏｆｆ：Ｌａｓｅｒ  Ｏｆｆ）期間２４となる。ＡＧＣ期間２１およびＣＤＲ期間２２は同期期間（ＳｙｎｃＴｉｍｅ）２５であり、このＳｙｎｃＴｉｍｅ２５内ではデータを送信することはできない。
【００５７】
従来のＰＯＮシステムでは、図５（ａ）に示すように、ＡＧＣ回路による光強度調整およびＣＤＲ回路による位相調整を毎周期行う必要があり、ＳｙｎｃＴｉｍｅ２５を毎周期設ける必要があるため、上り帯域の利用効率が低くなってしまう。それに対して、実施の形態１に係るＰＯＮシステムでは、図５（ｂ）に示すように、最初のｄｉｓｃｏｖｅｒｙ周期にのみＡＧＣ回路１１６による光強度調整およびＣＤＲ回路１１９による位相調整を行い、以後、抽出したＧＡＩＮ量および位相調整量を反映させている。そのため、最初のｄｉｓｃｏｖｅｒｙ周期以後のＳｙｎｃＴｉｍｅ２５を削除することができ、データ送信量を増加させることができるため、上り帯域の利用効率を向上させることができる。
【００５８】
以上のように、この実施の形態１によれば、最初のｄｉｓｃｏｖｅｒｙ周期にのみＡＧＣ回路１１６による光強度調整およびＣＤＲ回路１１９による位相調整を行い、以後、抽出したＧＡＩＮ量および位相調整量を反映させるように構成したので、ＳｙｎｃＴｉｍｅを削除することができる。そのため、データ送信量を増加させることができ、上り帯域の利用効率を向上させることが可能となる。具体的には、加入者側装置２を１２８台接続した場合において、従来では、ＳｙｎｃＴｉｍｅ＝１．２μｓで上り帯域の利用効率が６５．８７％であったのに対して、ＳｙｎｃＴｉｍｅ＝０μｓにすることで、上り帯域の利用効率を７９．２４％まで向上させることが可能である。
また、強度調整部１１４および位相調整部１１５の未使用ブロックの電源をＯＦＦにする電源制御部１０４を設けたので、省電力化を図ることもできる。
【００５９】
なお、実施の形態１に係るＰＯＮシステムでは、位相情報通知フレームをＲｅｇｉｓｔｅｒフレーム１３の空き領域に埋め込むようにして構成したが、これに限るものではなく、Ｇａｔｅフレーム１４の空き領域に埋め込むようにして構成してもよいし、位相情報通知フレームを別フォーマットのフレームとして構成してもよい。
【００６０】
また、実施の形態１に係るＰＯＮシステムでは、最初のｄｉｓｃｏｖｅｒｙ周期にのみＡＧＣ回路１１６による光強度調整およびＣＤＲ回路１１９による位相調整を行うように構成したが、これに限るものではなく、例えばｄｉｓｃｏｖｅｒｙ周期毎など所定の周期毎にＡＧＣ回路１１６による光強度調整およびＣＤＲ回路１１９による位相調整を行うように構成してもよい。これにより、より安定した同期を実現することができる。
【００６１】
実施の形態２．
実施の形態１では、最初のｄｉｓｃｏｖｅｒｙ周期で抽出したＧＡＩＮ量および位相制御量を用いて、以後のＧＡＩＮ調整および位相調整を行うように構成したが、実施の形態２は、ＧＡＩＮ量および位相制御量を毎周期更新する手法について述べる。
【００６２】
図６は実施の形態２に係るＰＯＮシステム内の各部の構成を示すブロック図である。
図６に示す実施の形態２に係るＰＯＮシステムは、図２に示す実施の形態１における強度調整部１１４からＧＡＩＮ保持部１１７を削除し、光強度モニタ１２０およびＧＡＩＮ制御部（ＧＡＩＮ保持部）１２１を追加したものである。その他の構成は同様であり、同一の符号を付してその説明を省略する。
【００６３】
光強度モニタ１２０は、セレクタ１１２を介してＯ／Ｅ変換器１１１から受信したデータに基づいて、ＧＡＩＮ調整に要するＧＡＩＮ量を算出するものである。この光強度モニタ１２０により、各加入者側装置２のデータに基づき算出されたＧＡＩＮ量を示すＧＡＩＮ情報は、ＧＡＩＮ制御部１２１に送信される。また、光強度モニタ１２０に入力されたデータはＧＡＩＮ回路１１８にそのまま送信される。
【００６４】
ＧＡＩＮ制御部１２１は、ＡＧＣ回路１１６または光強度モニタ１２０から受信した加入者側装置２毎のＧＡＩＮ情報を保持するものである。このＧＡＩＮ制御部１２１に保持されているＧＡＩＮ情報はＧＡＩＮ回路１１８により抽出される。
【００６５】
なお、セレクタ１１２，１１３は、加入者側装置２との通信周期が最初のｄｉｓｃｏｖｅｒｙ周期の場合には、図６の第１送信経路（ＡＧＣ回路１１６およびＣＤＲ回路１１９を通過する送信経路）を選択し、最初のｄｉｓｃｏｖｅｒｙ周期以外の周期の場合には、第２送信経路（光強度モニタ１２０およびＧＡＩＮ回路１１８を通過し、ＣＤＲ回路１１９を通過して終端する経路とＣＤＲ回路１１９を通過しない経路とに分岐する送信経路）を選択する。
【００６６】
また、ＧＡＩＮ回路１１８は、セレクタ１１２および光強度モニタ１２０を介してＯ／Ｅ変換器１１１から受信した今周期のデータに対して、ＧＡＩＮ制御部１２１から抽出した前周期のＧＡＩＮ量を用いてＧＡＩＮ調整を行う。このＧＡＩＮ回路１１８によりＧＡＩＮ調整されたデータは２つに分岐され、一方はＣＤＲ回路１１９に送信され、他方はセレクタ１１３を介してフレーム分離部１０６に送信される。
また、ＣＤＲ回路１１９は、ＡＧＣ回路１１６またはＧＡＩＮ回路１１８から受信したデータに対して位相調整を行う。なお、ＡＧＣ回路１１６からのデータは、位相調整後、セレクタ１１３を介してフレーム分離部１０６に送信される。一方、ＧＡＩＮ回路１１８からのデータは、位相調整後、終端する。
【００６７】
次に、上記のように構成されたＰＯＮシステムの動作について説明する。
図７はこの発明の実施の形態２に係るＰＯＮシステムの動作を示すシーケンス図である。なお、実施の形態２に係るＰＯＮシステムでは、位相同期を行う方法として、ＭＰＣＰのＤｉｓｃｏｖｅｒｙシーケンスを利用した場合について述べる。
また、図７に示す実施の形態２に係るＰＯＮシステムのステップＳＴ７１，７２の動作は、図３に示す実施の形態１に係るＰＯＮシステムのステップＳＴ３１，３２の動作と同様であり、その説明を省略する。
【００６８】
ＰＯＮシステムの動作では、図７に示すように、ステップＳＴ７３において、局側装置１は、ＧＡＩＮ調整および位相調整を行い、ＧＡＩＮ情報および位相情報を取得する。
このステップＳＴ７３では、まず、Ｏ／Ｅ変換器１１１は、ＷＤＭカプラ１０１を介して加入者側装置２からの上りデータを受信し、電気信号に変換する。次に、セレクタ１１２，１１３は、帯域割当制御部１０３からのＤｉｓｃｏｖｅｒｙ  Ｗｉｎｄｏｗ情報に基づいて最初のｄｉｓｃｏｖｅｒｙ周期であると判断し、第１送信経路を選択する。また、電源制御部１０４は、帯域割当制御部１０３からのＤｉｓｃｏｖｅｒｙ  Ｗｉｎｄｏｗ情報に基づいて、未使用ブロック（ＧＡＩＮ回路１１８および光強度モニタ１２０）の電源をＯＦＦにして、省エネを図る。
【００６９】
次に、ＡＧＣ回路１１６は、Ｏ／Ｅ変換器１１１からのデータに対してＧＡＩＮ調整を行う。このＡＧＣ回路１１６によるＧＡＩＮ情報はＧＡＩＮ制御部１２１に保持される。次に、ＣＤＲ回路１１９は、ＡＧＣ回路１１６によりＧＡＩＮ調整されたデータに対して位相調整を行う。このＣＤＲ回路１１９による位相情報は位相制御部１０５に保持される。
次に、フレーム分離部１０６は、セレクタ１１３を介してＣＤＲ回路１１９から受信したデータをＵｓｅｒフレームとＲｅｇｉｓｔｅｒ  Ｒｅｑｕｅｓｔフレーム１２とに分離する。このフレーム分離部１０６により分離されたＵｓｅｒフレームは上位装置６に送信され、Ｒｅｇｉｓｔｅｒ  Ｒｅｑｕｅｓｔフレーム１２はフレーム制御部１０７に送信される。
【００７０】
次いで、局側装置１はＲｅｇｉｓｔｅｒフレーム１３およびＧａｔｅフレーム１４を加入者側装置２に送信する（ステップＳＴ７４，７５）。
このステップＳＴ７４，７５では、まず、帯域割当制御部１０３は、次周期での各加入者側装置２のデータ送信開始時間および継続時間を決定し、ＧＡＩＮ制御部１２１およびフレーム制御部１０７に通知する。さらに、次周期でのＤｉｓｃｏｖｅｒｙ  Ｗｉｎｄｏｗ情報をセレクタ１１２，１１３および電源制御部１０４に通知する。
【００７１】
次に、フレーム制御部１０７は、Ｒｅｇｉｓｔｅｒ  Ｒｅｑｕｅｓｔフレーム１２を認識した後、Ｒｅｇｉｓｔｅｒフレーム１３を生成する。また、帯域割当制御部１０３から通知された次周期での各加入者側装置２のデータ送信開始時間および継続時間に基づいて、Ｇａｔｅフレーム１４を生成する。この際、フレーム制御部１０７は、位相制御部１０５から抽出した位相情報を、Ｇａｔｅフレーム１４の空き領域に埋めこんだ位相情報通知フレームも生成する。例えば図８に示すように、Ｇａｔｅフレーム１４のＰａｄ／Ｒｅｓｅｒｖｅｄの帯域に１ｂｙｔｅ分埋め込むことで位相情報通知フレームを生成する。
【００７２】
次に、フレーム多重部１０９は、フレーム制御部１０７からの、Ｒｅｇｉｓｔｅｒフレーム１３および位置情報通知フレームが埋め込まれたＧａｔｅフレーム１４と、下りバッファ部１０８からのＵｓｅｒフレームとを多重する。次に、光送信部１１０は、フレーム多重部１０９により多重されたフレームを光信号に変換し、ＷＤＭカプラ１０１および光スプリッタ４を介して対応する加入者側装置２に送信する。
【００７３】
次いで、加入者側装置２は、位相調整を行い、Ｒｅｇｉｓｔｅｒ  Ａｃｋフレーム１５を局側装置１に送信する（ステップＳＴ７６，７７）。
このステップＳＴ７６，７７では、まず、光受信部２０２は、ＷＤＭカプラ２０１を介して局側装置１からの下りデータを受信し、電気信号に変換する。次に、フレーム分離部２０３は、光受信部２０２により電気信号に変換されたデータをＵｓｅｒフレームとＲｅｇｉｓｔｅｒフレーム１３と位置情報通知フレームが埋め込まれたＧａｔｅフレーム１４とに分離する。次に、フレーム制御部２０４は、フレーム分離部２０３により分離されたＧａｔｅフレーム１４を認識した後、Ｒｅｇｉｓｔｅｒ  Ａｃｋフレーム１５を生成する。また、フレーム制御部２０４は、Ｇａｔｅフレーム１４から位相情報通知フレームを抽出して、位相情報を位相制御部２０７に送信する。次に、フレーム多重部２０６は、フレーム制御部２０４からのＲｅｇｉｓｔｅｒ  Ａｃｋフレーム１５と上りバッファ部２０５からのＵｓｅｒフレームとを多重する。
【００７４】
次に、位相制御部２０７は、フレーム制御部２０４からの位相情報を用いて、光送信部２０８に送信されたフレームに対して位相調整を行う。次に、光送信部２０８は、フレーム多重部２０６により多重され、位相制御部２０７により位相調整されたフレームを光信号に変換し、ＷＤＭカプラ２０１および光スプリッタ４を介して局側装置１に送信する。
【００７５】
次いで、局側装置１は、ＧＡＩＮ調整を行い、ＧＡＩＮ量および位相調整量の更新を行う（ステップＳＴ７８）。
このステップＳＴ７８では、まず、Ｏ／Ｅ変換器１１１は、ＷＤＭカプラ１０１を介して加入者側装置２からの上りデータを受信し、電気信号に変換する。次に、セレクタ１１２，１１３は、帯域割当制御部１０３からのＤｉｓｃｏｖｅｒｙ  Ｗｉｎｄｏｗ情報に基づいて最初のｄｉｓｃｏｖｅｒｙ周期ではないと判断し、第２送信経路に切り替える。また、電源制御部１０４は、帯域割当制御部１０３からのＤｉｓｃｏｖｅｒｙ  Ｗｉｎｄｏｗ情報に基づいて未使用ブロック（ＡＧＣ回路１１６）の電源をＯＦＦにして、省エネを図る。
【００７６】
次に、光強度モニタ１２０は、セレクタ１１２を介してＯ／Ｅ変換器１１１から受信したデータに基づいて、ＧＡＩＮ調整に要するＧＡＩＮ量を算出し、ＧＡＩＮ情報をＧＡＩＮ制御部１２１に通知する。また、光強度モニタ１２０に入力したデータはＧＡＩＮ回路１１８にそのまま送信される。
次に、ＧＡＩＮ回路１１８は、帯域割当制御部１０３から通知された各加入者側装置２のデータ送信開始時間および継続時間に基づいて、ＧＡＩＮ制御部１２１から該当する前周期のＧＡＩＮ量を抽出し、このＧＡＩＮ量を用いて、光強度モニタ１２０を介してＯ／Ｅ変換器１１１から受信した今周期のデータに対してＧＡＩＮ調整を行う。このＧＡＩＮ回路１１８によりＧＡＩＮ調整されたデータは２つに分岐され、一方はＣＤＲ回路１１９に送信され、他方はセレクタ１１３を介してフレーム分離部１０６に送信される。
次に、ＧＡＩＮ制御部１２１は、光強度モニタ１２０からの今周期のＧＡＩＮ情報を、保持している前周期のＧＡＩＮ情報に上書きすることによって、ＧＡＩＮ情報の更新を行う。
【００７７】
次に、ＣＤＲ回路１１９は、ＧＡＩＮ回路１１８から受信したデータに基づいて、位相調整量を抽出し、位相情報を位相制御部１０５に通知して終端する。次に、位相制御部１０５は、ＣＤＲ回路１１９からの今周期の位相情報を、保持している前周期の位相情報に上書きすることにより、位相情報の更新を行う。
【００７８】
次に、フレーム分離部１０６は、セレクタ１１３を介してＧＡＩＮ回路１１８から受信したデータをＵｓｅｒフレームとＲｅｇｉｓｔｅｒ  Ａｃｋフレーム１５とに分離する。このフレーム分離部１０６により分離されたＵｓｅｒフレームは上位装置６に送信され、Ｒｅｇｉｓｔｅｒ  Ａｃｋフレーム１５はフレーム制御部１０７に送信される。
【００７９】
その後、フレーム制御部１０７は、Ｒｅｇｉｓｔｅｒ  Ａｃｋフレーム１５を認識した後、Ｇａｔｅフレーム１４を生成し、以後Ｇａｔｅ−Ｒｅｐｏｒｔシーケンスとなる。
Ｇａｔｅ−Ｒｅｐｏｒｔシーケンスにおいて、光強度調整では、光強度モニタ１２０により算出した今周期でのＧＡＩＮ量を、次周期のＧＡＩＮ回路１１８に反映させることでＧＡＩＮ量の更新を毎周期行う。また、位相調整では、ＣＤＲ回路１１９により抽出した位相調整量を毎周期ＯＮＵ５に送信することで位相調整量の更新を毎周期行う。
【００８０】
以上のように、実施の形態２によれば、ＧＡＩＮ量および位相調整量を毎周期更新するように構成したので、実施の形態１における効果に加えて、安定した同期を実現することができる。
【００８１】
なお、図６に示す実施の形態２に係るＰＯＮシステムでは、セレクタ１１２，１１３が第２送信経路に切り替えた場合に、各加入者側装置２からのデータが光強度モニタ１２０を通過してＧＡＩＮ回路１１８に送信される場合について示したが、例えば図９に示すように、光強度モニタ１２０の前段でデータを２つに分岐させて、一方のデータをＧＡＩＮ回路１１８に入力させて、前周期のＧＡＩＮ量を用いたＧＡＩＮ調整を行わせ、他方のデータを光強度モニタ１２０に入力させて、今周期のＧＡＩＮ量の算出を行わせるように構成してもよい。
【００８２】
また、実施の形態２に係るＰＯＮシステムでは、ＧＡＩＮ量の更新を毎周期行うように構成したが、これに限るものではなく、ＧＡＩＮ量の更新は所定の事象が発生した場合にのみ行うように構成してもよい。例えば、ＧＡＩＮ制御部１２１にて、保持している前周期のＧＡＩＮ量と光強度モニタ１２０により算出された今周期のＧＡＩＮ量との差を所定の閾値と比較し、差が閾値以上である場合に、ＡＧＣ回路１１６によるＧＡＩＮ再調整を行うように構成してもよい。
【００８３】
また、実施の形態１，２に係るＰＯＮシステムでは、位相同期の方法としてＭＰＣＰシーケンスを用いて説明を行ったが、これに限るものではなく、ＰＯＮシステムで規定されているＯＡＭに適用させてもよいし、ＰＯＮシステムでは規定されていない独自のシーケンスに適用させてもよい。
【００８４】
また、実施の形態１，２では、ＰＯＮシステムを用いて説明を行ったが、これに限るものではなく、その他の一般的な光通信システムにも同様に適用可能である。
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００８５】
この発明に係る局側装置は、ＡＧＣ期間を削除することでＳｙｎｃＴｉｍｅを削減することができ、上り帯域利用効率を向上させることができ、複数の加入者側装置との間で通信を行う局側装置などに用いるのに適している。
【図１】
2012046281.tif 000003
【図２】
2012046281.tif 000004
【図３】
2012046281.tif 000005
【図４】
2012046281.tif 000006
【図５】
2012046281.tif 000007
【図６】
2012046281.tif 000008
【図７】
2012046281.tif 000009
【図８】
2012046281.tif 000010
【図９】
2012046281.tif 000011
【国際調査報告】
2012046281.tif 000012
2012046281.tif 000013
2012046281.tif 000014
2012046281.tif 000015